(57)【要約】【課題】複数のレンズを備えたレンズユニットにおける光学性能の向上を図ること。【解決手段】同一の光軸上に設けられる複数のレンズを備えた第２レンズ群１０７を、Ｇ３レンズ１１２を保持する第２レンズ群枠１１６と、Ｇ４レンズ１１３およびＧ５レンズ１１４を保持するＧ０４／Ｇ０５枠２０１と、を組み合わせることによって構成する。第２レンズ群枠１１６およびＧ０４／Ｇ０５枠２０１には、光軸を中心とする同一円周上に複数設けられ、互いに対向する方向に突出する突起群が設けられており、光軸に対するＧ３レンズ１１２とＧ４レンズ１１３およびＧ５レンズ１１４の光軸の倒れ量がもっとも少なくなる組み合わせで突起群を当接させるようにした。【選択図】図２
2009175209.tif 000002
【特許請求の範囲】
【請求項１】
同一の光軸上に設けられる複数のレンズを備えたレンズユニットであって、
前記複数のレンズの中の任意のレンズを保持する第１のレンズ枠と、
前記複数のレンズの中の前記任意のレンズとは別のレンズを保持する第２のレンズ枠と、
前記第１のレンズ枠における前記第２のレンズ枠に対向する位置であって前記光軸を中心とする同一円周上に複数設けられて、前記第１のレンズ枠の端面よりも前記第２のレンズ枠側に突出した第１の枠当て部材と、
前記第２のレンズ枠における前記第１のレンズ枠に対向する位置であって前記第１の枠当て部材が当接される第２の枠当て部材と、
を備え、
前記第１の枠当て部材および前記第２の枠当て部材は、前記光軸に対する前記任意のレンズおよび前記別のレンズの光軸の倒れ量がもっとも少なくなる組み合わせで当接するように構成されていることを特徴とするレンズユニット。
【請求項２】
前記第１の枠当て部材における前記第２の枠当て部材側の端部あるいは前記第２の枠当て部材における前記第１の枠当て部材側の端部の少なくとも一方は、前記光軸に直交する平面とされていることを特徴とする請求項１に記載のレンズユニット。
【請求項３】
前記第１の枠当て部材および前記第２の枠当て部材は、前記任意のレンズおよび前記別のレンズの外径よりも外側において当接するように構成されていることを特徴とする請求項１または２に記載のレンズユニット。
【請求項４】
前記第１の枠当て部材および前記第２の枠当て部材は、等間隔に設けられていることを特徴とする請求項１〜３のいずれか一つに記載のレンズユニット。
【請求項５】
前記第１の枠当て部材および前記第２の枠当て部材は、３箇所または３の倍数箇所設けられていることを特徴とする請求項４に記載のレンズユニット。
【請求項６】
光軸上に設けられた１つまたは複数のレンズユニットを備え、前記レンズユニットを通過した光を撮像媒体に入射させるレンズ装置であって、
少なくとも一つの前記レンズユニットは、同一の光軸上に設けられる複数のレンズを備え、
前記複数のレンズの中の任意のレンズを保持する第１のレンズ枠と、
前記複数のレンズの中の前記任意のレンズとは別のレンズを保持する第２のレンズ枠と、
前記第１のレンズ枠における前記第２のレンズ枠に対向する位置であって前記光軸を中心とする同一円周上に複数設けられて、前記第１のレンズ枠の端面よりも前記第２のレンズ枠側に突出した第１の枠当て部材と、
前記第２のレンズ枠における前記第１のレンズ枠に対向する位置であって前記第１の枠当て部材が当接される第２の枠当て部材と、を備えており、
前記第１の枠当て部材および前記第２の枠当て部材は、前記光軸に対する前記任意のレンズおよび前記別のレンズの光軸の倒れ量がもっとも少なくなる組み合わせで当接するように構成されていることを特徴とするレンズ装置。
【請求項７】
撮像素子および当該撮像素子に外光を入射させるレンズ装置を備える撮像装置であって、
前記レンズ装置は、
同一の光軸上に設けられる複数のレンズの中の任意のレンズを保持する第１のレンズ枠と、
前記複数のレンズの中の前記任意のレンズとは別のレンズを保持する第２のレンズ枠と、
前記第１のレンズ枠における前記第２のレンズ枠に対向する位置であって前記光軸を中心とする同一円周上に複数設けられて、前記第１のレンズ枠の端面よりも前記第２のレンズ枠側に突出した第１の枠当て部材と、
前記第２のレンズ枠における前記第１のレンズ枠に対向する位置であって前記第１の枠当て部材が当接される第２の枠当て部材と、を備えたレンズユニットを備え、
前記レンズユニットにおける前記第１の枠当て部材および前記第２の枠当て部材は、前記光軸に対する前記任意のレンズおよび前記別のレンズの光軸の倒れ量がもっとも少なくなる組み合わせで当接するように構成されていることを特徴とする撮像装置。
【発明の詳細な説明】
【技術分野】
【０００１】
この発明は、同一の光軸上に設けられる複数のレンズを備えたレンズユニット、当該レンズユニットを備えたレンズ装置およびこのレンズ装置を備えた撮像装置に関する。
【背景技術】
【０００２】
従来、鏡筒内においてレンズを保持するレンズ保持部材を複数の支持部によって支持し、１つの支持部を除く残りの支持部においてレンズ枠と鏡筒との間隔を光軸方向に調整することによってレンズ保持部材が保持するレンズの傾き調整をおこなうようにした技術があった（たとえば、下記特許文献１を参照。）。
【０００３】
また、従来、群レンズを構成する１つのレンズを該群レンズ内の他のレンズに対して動かす調整手段を設け、調整手段によって１つのレンズの光軸に対する傾きを調整するようにした技術があった（たとえば、下記特許文献２を参照。）。この技術における調整手段は、光軸方向と垂直な平面上におけるＸ軸方向およびＹ軸方向に回転し、回転することによって１つのレンズの光軸に対する傾きを、Ｘ軸方向およびＹ軸方向においてそれぞれ独立に調整する。
【０００４】
【特許文献１】特開２００７−２７９５２５号公報
【特許文献２】特開２００２−３５７７５５号公報
【発明の開示】
【発明が解決しようとする課題】
【０００５】
しかしながら、上述した特許文献１を含む従来の技術では、レンズユニットにおける一つのレンズ枠に複数のレンズが取り付けられているため、レンズどうしの平行度はレンズ枠において各レンズを支持するレンズ支持面どうしの平行度に依存する。すなわち、レンズどうしの平行度はレンズ枠の製造精度のみによって決定され、レンズ枠の製造精度によっては光学性能が低下するという問題があった。
【０００６】
また、レンズどうしの平行度は、レンズ支持面どうしの平行度のずれが同じ場合にはレンズやレンズ枠などレンズユニットの構成部品が小さくなるほど低下する傾向にあり、近年さらなる小型化が進むコンパクトカメラなどの撮像装置に従来の技術を用いたレンズユニットを搭載すると撮像精度が低下する要因となるという問題があった。
【０００７】
この発明は、上述した従来技術による問題点を解消するため、複数のレンズを備えたレンズユニットにおける光学性能の向上を図ることができるレンズユニット、レンズ装置および撮像装置を提供することを目的とする。
【課題を解決するための手段】
【０００８】
上述した課題を解決し、目的を達成するため、この発明にかかるレンズユニットは、同一の光軸上に設けられる複数のレンズを備えたレンズユニットであって、前記複数のレンズの中の任意のレンズを保持する第１のレンズ枠と、前記複数のレンズの中の前記任意のレンズとは別のレンズを保持する第２のレンズ枠と、前記第１のレンズ枠における前記第２のレンズ枠に対向する位置であって前記光軸を中心とする同一円周上に複数設けられて、前記第１のレンズ枠の端面よりも前記第２のレンズ枠側に突出した第１の枠当て部材と、前記第２のレンズ枠における前記第１のレンズ枠に対向する位置であって前記第１の枠当て部材が当接される第２の枠当て部材と、を備え、前記第１の枠当て部材および前記第２の枠当て部材は、前記光軸に対する前記任意のレンズおよび前記別のレンズの光軸の倒れ量がもっとも少なくなる組み合わせで当接するように構成されていることを特徴とする。この発明によれば、第１の枠当て部材と第２の枠当て部材との組み合わせを調整することによって、レンズ枠にレンズを取り付けてから平行度を調整することができる。
【０００９】
また、この発明にかかるレンズユニットは、上記の発明において、前記第１の枠当て部材における前記第２の枠当て部材側の端部あるいは前記第２の枠当て部材における前記第１の枠当て部材側の端部の少なくとも一方は、前記光軸に直交する平面とされていることを特徴とする。この発明によれば、第１の枠当て部材あるいは第２の枠当て部材の少なくとも一方における平面の平行度を管理することによって、第１の枠当て部材と第２の枠当て部材との組み合わせを調整することによる平行度の調整をおこなうことができる。
【００１０】
また、この発明にかかるレンズユニットは、上記の発明において、前記第１の枠当て部材および前記第２の枠当て部材は、前記任意のレンズおよび前記別のレンズの外径よりも外側において当接するように構成されていることを特徴とする。この発明によれば、レンズの有効径よりも広い範囲において第１の枠当て部材と第２の枠当て部材とを組み合わせて平行度を調整することができる。
【００１１】
また、この発明にかかるレンズユニットは、上記の発明において、前記第１の枠当て部材および前記第２の枠当て部材は、等間隔に設けられていることを特徴とする。この発明によれば、光軸に対して均等な位置において第１の枠当て部材と第２の枠当て部材とを組み合わせて平行度を調整することができる。
【００１２】
また、この発明にかかるレンズユニットは、上記の発明において、前記第１の枠当て部材および前記第２の枠当て部材は、３箇所または３の倍数箇所設けられていることを特徴とする。この発明によれば、第１の枠当て部材と第２の枠当て部材との各当接箇所において、第１の枠当て部材と第２の枠当て部材とを均等な力で当接させることができる。
【００１３】
また、この発明にかかるレンズ装置は、光軸上に設けられた１つまたは複数のレンズユニットを備え、前記レンズユニットを通過した光を撮像媒体に入射させるレンズ装置であって、少なくとも一つの前記レンズユニットは、同一の光軸上に設けられる複数のレンズを備え、前記複数のレンズの中の任意のレンズを保持する第１のレンズ枠と、前記複数のレンズの中の前記任意のレンズとは別のレンズを保持する第２のレンズ枠と、前記第１のレンズ枠における前記第２のレンズ枠に対向する位置であって前記光軸を中心とする同一円周上に複数設けられて、前記第１のレンズ枠の端面よりも前記第２のレンズ枠側に突出した第１の枠当て部材と、前記第２のレンズ枠における前記第１のレンズ枠に対向する位置であって前記第１の枠当て部材が当接される第２の枠当て部材と、を備えており、前記第１の枠当て部材および前記第２の枠当て部材は、前記光軸に対する前記任意のレンズおよび前記別のレンズの光軸の倒れ量がもっとも少なくなる組み合わせで当接するように構成されていることを特徴とする。この発明によれば、平行度を調整したレンズユニットを用いてレンズ装置を構成することができる。
【００１４】
また、この発明にかかる撮像装置は、撮像素子および当該撮像素子に外光を入射させるレンズ装置を備える撮像装置であって、前記レンズ装置は同一の光軸上に設けられる複数のレンズの中の任意のレンズを保持する第１のレンズ枠と、前記複数のレンズの中の前記任意のレンズとは別のレンズを保持する第２のレンズ枠と、前記第１のレンズ枠における前記第２のレンズ枠に対向する位置であって前記光軸を中心とする同一円周上に複数設けられて、前記第１のレンズ枠の端面よりも前記第２のレンズ枠側に突出した第１の枠当て部材と、前記第２のレンズ枠における前記第１のレンズ枠に対向する位置であって前記第１の枠当て部材が当接される第２の枠当て部材と、を備えたレンズユニットを備え、前記レンズユニットにおける前記第１の枠当て部材および前記第２の枠当て部材は、前記光軸に対する前記任意のレンズおよび前記別のレンズの光軸の倒れ量がもっとも少なくなる組み合わせで当接するように構成されていることを特徴とする。この発明によれば、平行度を調整したレンズユニットを用いて構成されたレンズ装置を用いて撮像装置を構成することができる。
【発明の効果】
【００１５】
本発明にかかるレンズユニット、レンズ装置および撮像装置によれば、レンズ枠にレンズを取り付けてから平行度を調整することができるので、レンズユニットにおける複数のレンズの平行度の向上を図ることができるという効果を奏する。
【発明を実施するための最良の形態】
【００１６】
以下に添付図面を参照して、この発明にかかるレンズユニット、レンズ装置および撮像装置の好適な実施の形態を詳細に説明する。
【００１７】
（レンズ装置の概略構成）
まず、この発明にかかる実施の形態のレンズ装置の概略構成について説明する。図１は、この発明にかかる実施の形態のレンズ装置の概略構成を示す断面図である。図１において、この発明にかかる実施の形態のレンズ装置１００は、鏡筒１０１を備えている。鏡筒１０１は固定筒１０２とカム筒１０３と直進ガイド筒１０４とによって構成されている。固定筒１０２はマウント１０５に取り付けられており、マウント１０５を介して図示を省略する撮像装置の本体に取り付けられる。
【００１８】
撮像装置の本体内には、撮像素子が配置されている。撮像素子は、レンズ装置１００を介して受光した外光を光電変換し、入射光量に応じた電気信号を出力する。撮像素子は、具体的には、たとえばＣＣＤなどによって実現される。カム筒１０３は固定筒１０２に対して光軸Ｃの軸芯方向（以下、「光軸方向」という）に沿ってスライド可能に連結されている。カム筒１０３を固定筒１０２に対して光軸方向にスライド可能に連結する構成については公知の技術であるため説明を省略する。
【００１９】
鏡筒１０１内には、第１レンズ群１０６、第２レンズ群１０７および第３レンズ群１０８が設けられている。第１レンズ群１０６は、Ｇ０１レンズ１０９およびＧ０２レンズ１１０を備えており、第１レンズ群枠１１１を介してカム筒１０３に連結されている。第１レンズ群枠１１１は１群カムピン１１１ａによってカム筒１０３に吊られた状態で連結されており、これによって第１レンズ群枠１１１はカム筒１０３に対して光軸方向に移動可能な状態とされている。
【００２０】
第２レンズ群１０７は、Ｇ３レンズ１１２、Ｇ４レンズ１１３およびＧ５レンズ１１４を備えており、第２レンズ群枠１１６を介してカム筒１０３に連結されている。第２レンズ群枠１１６は、第２レンズ群枠１１６に設けられた突起１１７によってカム筒１０３に吊られた状態で連結されており、これによってカム筒１０３に対して光軸方向に移動可能な状態で連結されている。
【００２１】
第１レンズ群枠１１１および第２レンズ群枠１１６をカム筒１０３に対して光軸方向に移動可能に連結する構成については公知の各種技術を用いて実現可能であるため説明を省略する。第３レンズ群１０８は、Ｇ６レンズ１１５を備えている。Ｇ６レンズ１１５は、３群枠（フォーカス枠）１１５ａによって保持された状態で鏡筒１０１内に設けられている。３群枠１１５ａ（Ｇ６レンズ１１５）は、マウントもしくは第２レンズ群枠１１６から突出したガイドポール（図示を省略する）に吊られた状態で連結されており、モータなどの駆動源により光軸方向に移動可能な状態で連結されている。
【００２２】
カム筒１０３内には、第１レンズ群１０６と第２レンズ群１０７との間にアイリスシャッター１１８が設けられている。アイリスシャッター１１８は第１レンズ群１０６を通過し第２レンズ群１０７に入射する光量を調整する。アイリスシャッター１１８については公知の各種技術を用いて実現可能であるため説明を省略する。カム筒１０３における被写体側（第１レンズ群１０６側）には、複数の金属環１１９が設けられている。金属環１１９を設けることによりレンズ装置１００のデザイン性の向上を図ることができる。
【００２３】
また、カム筒１０３における被写体側（第２レンズ群１０７よりも第１レンズ群１０６側）には、レンズカバー１２０が設けられている。レンズカバー１２０は、他鏡筒部品との連結により、連動して駆動する。レンズカバー１２０は、具体的には、第１レンズ群１０６を外部に開放して撮像可能状態としたり、第１レンズ群１０６を覆って第１レンズ群１０６を保護したりする。
【００２４】
レンズカバー１２０は第１レンズ群１０６を外部に開放したり第１レンズ群１０６を覆ったりするための羽根（バリア）を備えている。図１においては、レンズカバー１２０を簡略化して示し、羽根（バリア）などは省略している。レンズカバー１２０については、公知の各種技術を用いて実現可能であるため説明を省略する。
【００２５】
（第２レンズ群の構成）
つぎに、第２レンズ群１０７について説明する。図２は第２レンズ群１０７を示す断面図であり、図３および図４は第２レンズ群１０７を示す分解斜視図である。図３は第２レンズ群１０７を被写体側から見た状態を示し、図４は第２レンズ群１０７を第３レンズ群１０８側から見た状態を示している。この実施の形態においては、第２レンズ群１０７によってこの発明のレンズユニットが実現されている。
【００２６】
図２〜図４において、第２レンズ群１０７は、Ｇ３レンズ１１２を保持する第１のレンズ枠としての第２レンズ群枠１１６と、Ｇ４レンズ１１３およびＧ５レンズ１１４を保持するＧ０４／Ｇ０５枠２０１とを備えている。この実施の形態においてはＧ３レンズ１１２によって任意のレンズが実現され、Ｇ４レンズ１１３およびＧ５レンズ１１４によって別のレンズが実現されている。
【００２７】
第２レンズ群枠１１６とＧ０４／Ｇ０５枠２０１とは別体で設けられており、接着剤などを用いて互いに固定されている。第２レンズ群枠１１６は、第１レンズ群１０６に入射した外光を第２レンズ群１０７へ通過させる開口部３０１を備えている。Ｇ０４／Ｇ０５枠２０１は、第１レンズ群１０６を通過した光を第３レンズ群１０８へ通過させる開口部３０２を備えている。
【００２８】
第２レンズ群枠１１６においてＧ０４／Ｇ０５枠２０１に対向する位置には、接着剤を保持する凹部４０１が設けられている。Ｇ０４／Ｇ０５枠２０１は、凹部４０１に対向する位置において第２レンズ群枠１１６側に突出する櫛歯部３０３を備えている。第２レンズ群枠１１６とＧ０４／Ｇ０５枠２０１とは、凹部４０１に接着剤を流し込んだ状態で、各凹部４０１に櫛歯部３０３を嵌め込むことによって固定されている。
【００２９】
図５は、第２レンズ群１０７を示す斜視図である。図５においては、第２レンズ群１０７を第３レンズ群１０８側から見た状態を示している。図５に示したように、レンズ装置１００の小型化にともなう第２レンズ群枠１１６の小型化などに起因して凹部４０１の面積が限られている場合にも、櫛歯部３０３を設けることによって接着部５０１における接着剤とＧ０４／Ｇ０５枠２０１との接触面積を増やすことができる。そして、これによって、第２レンズ群枠１１６とＧ０４／Ｇ０５枠２０１とを接着部５０１において良好に接着することができる。
【００３０】
第２レンズ群枠１１６とＧ０４／Ｇ０５枠２０１との接着に用いる接着剤としては、たとえば紫外線硬化型の接着剤（ＵＶ接着剤）を用いることができる。櫛歯部３０３を設けることによって、各凹部４０１に櫛歯部３０３を嵌め込んだ状態であっても紫外線が接着剤全体に回り込みやすくなり、これによって第２レンズ群枠１１６とＧ０４／Ｇ０５枠２０１とを良好に接着することができる。
【００３１】
第２レンズ群枠１１６はＧ３レンズ１１２を支持するレンズ支持面３０４を備えている。Ｇ３レンズ１１２は、レンズ支持面３０４に当接されることによって第２レンズ群枠１１６に対する位置決めがなされ、第２レンズ群枠１１６に対する位置決めがなされた状態で第２レンズ群枠１１６に固定される。Ｇ３レンズ１１２は、接着剤（たとえばＵＶ接着剤）などを用いて第２レンズ群枠１１６に固定される。Ｇ３レンズ１１２の固定はＵＶ接着剤を用いた接着に限るものではなく、たとえば熱カシメやレーザー光を用いた融着などであってもよい。
【００３２】
Ｇ０４／Ｇ０５枠２０１は、Ｇ４レンズ１１３が固定された状態のＧ５レンズ１１４を支持するレンズ支持面４０２を備えている。Ｇ４レンズ１１３およびＧ５レンズ１１４は、Ｇ５レンズ１１４がレンズ支持面４０２に当接されることによってＧ０４／Ｇ０５枠２０１に対する位置決めがなされる。
【００３３】
そして、Ｇ４レンズ１１３およびＧ５レンズ１１４は、Ｇ０４／Ｇ０５枠２０１に対する位置決めがなされた状態でＧ０４／Ｇ０５枠２０１に固定される。Ｇ５レンズ１１４は、接着剤（たとえばＵＶ接着剤）などを用いてＧ０４／Ｇ０５枠２０１に固定される。Ｇ５レンズ１１４の固定はＵＶ接着剤を用いた接着に限るものではなく、たとえば熱カシメやレーザー光を用いた融着などであってもよい。
【００３４】
第２レンズ群枠１１６およびＧ０４／Ｇ０５枠２０１は、光軸Ｃを中心とする同一円周上に設けられた突起３０５Ａ、３０５Ｂ、３０５Ｃ、４０３Ａ、４０３Ｂ、４０３Ｃを備えている。突起３０５Ａ、３０５Ｂ、３０５Ｃ、４０３Ａ、４０３Ｂ、４０３Ｃの先端は、光軸に直交する平面とされている。
【００３５】
この実施の形態においては、第２レンズ群枠１１６に設けられた突起４０３Ａ、４０３Ｂ、４０３Ｃによって第１の枠当て部材が実現され、突起４０３Ａ、４０３Ｂ、４０３Ｃの先端の平面によって第１の枠当て部材が備える平面が実現されている。また、この実施の形態においては、Ｇ０４／Ｇ０５枠２０１に設けられた突起３０５Ａ、３０５Ｂ、３０５Ｃによって第２の枠当て部材が実現され、突起３０５Ａ、３０５Ｂ、３０５Ｃの先端の平面によって第２の枠当て部材が備える平面が実現されている。
【００３６】
光軸に直交する平面は、突起４０３Ａ、４０３Ｂ、４０３Ｃあるいは突起３０５Ａ、３０５Ｂ、３０５Ｃのいずれか一方に設けられていればよい。この場合、平面を設けない他方の突起の先端は、たとえば突起４０３Ａ、４０３Ｂ、４０３Ｃと突起３０５Ａ、３０５Ｂ、３０５Ｃとが点接触するような半球状とする。
【００３７】
第１の枠当て部材はＧ０４／Ｇ０５枠２０１に設けられた突起３０５Ａ、３０５Ｂ、３０５Ｃによって実現してもよく、第２の枠当て部材は第２レンズ群枠１１６に設けられた突起４０３Ａ、４０３Ｂ、４０３Ｃによって実現してもよい。
【００３８】
第２の枠当て部材は突出している形状に限るものではなく、少なくとも第１の枠当て部材を実現する突起４０３Ａ、４０３Ｂ、４０３Ｃ（あるいは突起３０５Ａ、３０５Ｂ、３０５Ｃ）が、第２の枠当て部材に向けて突出していればよい。この場合、第２の枠当て部材は、光軸方向に沿って内側に窪んだ位置に形成されていてもよいし、第１の枠当て部材あるいは第２の枠当て部材に対して光軸方向に正対するフラットな面に形成されていてもよい。
【００３９】
突起３０５Ａ、３０５Ｂ、３０５Ｃ、４０３Ａ、４０３Ｂ、４０３Ｃは、光軸Ｃを中心とする同一円周上において等間隔（この実施の形態においては１２０度間隔）に複数（この実施の形態においては３個）設けられている。また、突起３０５Ａ、３０５Ｂ、３０５Ｃ、４０３Ａ、４０３Ｂ、４０３Ｃは、光軸Ｃに対して、Ｇ３レンズ１１２、Ｇ４レンズ１１３およびＧ５レンズ１１４の光学的に有効な有効径よりも外側に設けられている。
【００４０】
第２レンズ群枠１１６に設けられた突起４０３Ａ、４０３Ｂ、４０３Ｃは、Ｇ０４／Ｇ０５枠２０１側に突出するように設けられている。突起４０３Ａ、４０３Ｂ、４０３Ｃは、光軸Ｃを中心とする円の半径方向に突出した複数（この実施の形態においては３個）のアーム部３０６Ａ、３０６Ｂ、３０６Ｃにそれぞれ設けられている。
【００４１】
この実施の形態においては、第２レンズ群枠１１６に３つの突起４０３Ａ、４０３Ｂ、４０３Ｃが設けられ、Ｇ０４／Ｇ０５枠２０１に３つの突起３０５Ａ、３０５Ｂ、３０５Ｃが設けられている。第２レンズ群枠１１６およびＧ０４／Ｇ０５枠２０１に設けられる突起の数は３個に限るものではない。第２レンズ群枠１１６およびＧ０４／Ｇ０５枠２０１に設けられる突起の数は、たとえば３個または３の倍数個であることが好ましい。
【００４２】
突起３０５Ａ、３０５Ｂ、３０５Ｃ、４０３Ａ、４０３Ｂ、４０３Ｃの数は、第２レンズ群枠１１６あるいはＧ０４／Ｇ０５枠２０１の少なくとも一方に３個設けられていればよく、この場合他方には３の倍数個であることが好ましい。また、この場合、３の倍数個の突起は、第２レンズ群枠１１６あるいはＧ０４／Ｇ０５枠２０１の少なくとも一方に設けられた３個の突起すべてが常に他方に設けられた突起にそれぞれ当接するような間隔に設けることが好ましい。
【００４３】
突起３０５Ａ、３０５Ｂ、３０５Ｃ、４０３Ａ、４０３Ｂ、４０３Ｃは、同一円周上に複数設けられていればよく、各突起３０５Ａ、３０５Ｂ、３０５Ｃ、４０３Ａ、４０３Ｂ、４０３Ｃの間隔は異なっていてもよい。この場合、光軸Ｃを中心とする同一円周上における、当接する突起どうしの間隔は、等間隔となるようにする。また、第２レンズ群枠１１６に設けられる突起およびＧ０４／Ｇ０５枠２０１に設けられる突起は、同じ個数に限るものではなく、異なった個数であってもよい。
【００４４】
すなわち、第２レンズ群枠１１６に設けられる突起の個数とＧ０４／Ｇ０５枠２０１に設けられる突起の個数とは異なっていてもよい。突起の個数は、少なくとも第２レンズ群枠１１６あるいはＧ０４／Ｇ０５枠２０１に設けられる突起の個数が３または３の倍数であることが好ましい。
【００４５】
アーム部３０６Ａにおける第３レンズ群１０８側には、マーク部４０４が設けられている。マーク部４０４は、たとえばＧ０４／Ｇ０５枠２０１から第３レンズ群１０８側に突出する突起によって実現することができる。また、マーク部４０４は、Ｇ０４／Ｇ０５枠２０１に設けられた凹部によって実現してもよいし、シールやペイントによるマーキングによって実現してもよい。
【００４６】
Ｇ０４／Ｇ０５枠２０１に設けられた突起３０５Ａ、３０５Ｂ、３０５Ｃは、第２レンズ群枠１１６側に突出するように設けられている。第２レンズ群枠１１６およびＧ０４／Ｇ０５枠２０１は、対向する突起３０５Ａ、３０５Ｂ、３０５Ｃ、４０３Ａ、４０３Ｂ、４０３Ｃどうしを当接させた状態で固定されている。
【００４７】
（第２レンズ群の組み立て方法）
つぎに、第２レンズ群１０７の組み立て方法について説明する。図６−１および図６−２は、第２レンズ群１０７の組み立て方法を示す説明図である。図６−１は第２レンズ群１０７を分解して第１レンズ群１０６側から見た状態を示し、図６−２は第２レンズ群１０７を分解して第３レンズ群１０８側から見た状態を示している。
【００４８】
第２レンズ群１０７の組み立てに際しては、まず第２レンズ群枠１１６にＧ３レンズ１１２を取り付け、また一方でＧ０４／Ｇ０５枠２０１にＧ４レンズ１１３およびＧ５レンズ１１４を取り付ける。つぎに、第２レンズ群枠１１６に設けられた突起４０３Ａ、４０３Ｂ、４０３Ｃと、Ｇ０４／Ｇ０５枠２０１に設けられた突起３０５Ａ、３０５Ｂ、３０５Ｃとが対向するように、第２レンズ群枠１１６とＧ０４／Ｇ０５枠２０１とを対向させる。
【００４９】
第２レンズ群枠１１６とＧ０４／Ｇ０５枠２０１とを対向させる場合は、第２レンズ群枠１１６に設けられた突起４０３Ａ、４０３Ｂ、４０３Ｃと、Ｇ０４／Ｇ０５枠２０１に設けられた突起３０５Ａ、３０５Ｂ、３０５Ｃとがそれぞれ異なる組み合わせで対向するように複数回対向させる。そして、支持面３０４と支持面４０２との平行度がもっとも小さくなる（０に近くなる）組み合わせを選択し、選択された組み合わせで対向させた状態で第２レンズ群枠１１６とＧ０４／Ｇ０５枠２０１とを固定する。
【００５０】
また、第２レンズ群枠１１６とＧ０４／Ｇ０５枠２０１とを対向させる場合は、第２レンズ群枠１１６に対してＧ０４／Ｇ０５枠２０１を光軸を中心として回転させる。この実施の形態においては、第２レンズ群枠１１６における突起４０３Ａ、４０３Ｂ、４０３ＣおよびＧ０４／Ｇ０５枠２０１における突起３０５Ａ、３０５Ｂ、３０５Ｃがそれぞれ等間隔で３個ずつ設けられていることから、第２レンズ群枠１１６に対してＧ０４／Ｇ０５枠２０１を光軸を中心として１２０度ずつ回転させる。
【００５１】
Ｇ３レンズ１１２の光軸の方向は支持面３０４によって決定され、Ｇ４レンズ１１３およびＧ５レンズ１１４の光軸の方向は支持面４０２によって決定される。すなわち、Ｇ４レンズ１１３およびＧ５レンズ１１４とＧ３レンズ１１２との平行度は、支持面３０４と支持面４０２との平行度に依存する。
【００５２】
支持面３０４と支持面４０２との平行度がもっとも小さくなる（０に近くなる）組み合わせは、下記（１）〜（３）の状態で第２レンズ群枠１１６とＧ０４／Ｇ０５枠２０１とを対向させ、各状態における支持面３０４と支持面４０２との平行度を測定し、平行度がもっとも小さくなる（０に近くなる）組み合わせとすることができる。
【００５３】
（１）突起３０５Ａと突起４０３Ａとを対向させた組み合わせ
（２）突起３０５Ａと突起４０３Ｂとを対向させた組み合わせ
（３）突起３０５Ａと突起４０３Ｃとを対向させた組み合わせ
【００５４】
（１）の組み合わせの場合、突起３０５Ｂと突起４０３Ｂとが対向し、突起３０５Ｃと突起４０３Ｃとが対向する。（２）の組み合わせの場合、突起３０５Ｂと突起４０３Ｃとが対向し、突起３０５Ｃと突起４０３Ａとが対向する。（３）の組み合わせの場合、突起３０５Ｂと突起４０３Ａとが対向し、突起３０５Ｃと突起４０３Ｂとが対向する。
【００５５】
第２レンズ群枠１１６とＧ０４／Ｇ０５枠２０１とを、上述した（１）〜（３）の組み合わせでそれぞれ対向させる場合、第２レンズ群枠１１６を治具などで固定するなどして第２レンズ群枠１１６の位置を固定した状態で、マーク部４０４の位置が移動するように光軸Ｃを中心としてＧ０４／Ｇ０５枠２０１を回転させる。
【００５６】
Ｇ０４／Ｇ０５枠２０１にマーク部４０４を設けることによって、（１）〜（３）の組み合わせのうちのいずれの組み合わせであるかが容易に確認できるので、同じ組み合わせの平行度を重複して測定してしまうなどの作業時間のロスをなくすことができる。
【００５７】
支持面３０４と支持面４０２との平行度がもっとも小さくなる（０に近くなる）組み合わせは、レンズ装置１００あるいは第２レンズ群１０７を量産する場合、第２レンズ群枠１１６の製造ロットあるいはＧ０４／Ｇ０５枠２０１の製造ロットが変わる場合におこなう。
【００５８】
すなわち、同じ製造ロットにおける第２レンズ群枠１１６とＧ０４／Ｇ０５枠２０１との組み合わせはほぼ同一と見なすことができるので、第２レンズ群枠１１６の製造ロットあるいはＧ０４／Ｇ０５枠２０１の製造ロットが変わるタイミングで上記の手順によって平行度を測定することで、第２レンズ群枠１１６あるいはＧ０４／Ｇ０５枠２０１の製造ロットが変わるまでの間は上記の平行度の測定をおこなう手間を省くことができる。これによって、レンズ装置１００あるいは第２レンズ群１０７の量産性の向上を図ることができる。
【００５９】
第２レンズ群の組み立てに際しては、上述のように当接面の回転選択によるレンズ（Ｇ３とＧ４／Ｇ５）の平行度を最適化した後は、つづいてＧ３とＧ４／Ｇ５の光軸の最適化（軸あわせ）、いわゆるシフト調整をおこなう。シフト調整については公知の技術であるため説明を省略する。そして、シフト調整した後に第２レンズ群枠１１６とＧ０４／Ｇ０５枠２０１とを接着して固定する。
【００６０】
この実施の形態によれば、第２レンズ群の組み立てが上記の順番のため、シフト調整も併せておこなうことができる。そして、シフト調整も併せておこなうことにより、レンズ装置１００あるいは第２レンズ群１０７の光学性能の向上を図ることができる。
【００６１】
このように、現在達成可能な部品精度（ばらつき）において、小径レンズの同一郡内の光軸の倒れについては枠を第２レンズ群枠１１６とＧ０４／Ｇ０５枠２０１とに分割して、枠同士（第２レンズ群枠１１６とＧ０４／Ｇ０５枠２０１と）の当て面をレンズ径より外側におき、複数の組み合わせの中から最適な組み合わせを選択できるように構成することで、従来の同一枠構成より光学性能の向上を図ることができる。
【００６２】
上述したように、この実施の形態によれば、第２レンズ群枠１１６とＧ０４／Ｇ０５枠２０１とが対向する向きすなわち、第２レンズ群枠１１６に設けられた突起４０３Ａ、４０３Ｂ、４０３ＣとＧ０４／Ｇ０５枠２０１に設けられた突起３０５Ａ、３０５Ｂ、３０５Ｃとが対向する組み合わせを調整することによって、第２レンズ群枠１１６にＧ３レンズ１１２を取り付け、Ｇ０４／Ｇ０５枠２０１にＧ４レンズ１１３およびＧ５レンズ１１４を取り付けてから、支持面３０４と支持面４０２との平行度すなわちＧ４レンズ１１３およびＧ５レンズ１１４とＧ３レンズ１１２との平行度を調整することができる。
【００６３】
これによって、測定した範囲内でもっとも平行度の高い組み合わせを第２レンズ群１０７における各レンズ（Ｇ３レンズ１１２、Ｇ４レンズ１１３およびＧ５レンズ１１４）の平行度とすることができるので、第２レンズ群における複数のレンズ（Ｇ３レンズ１１２、Ｇ４レンズ１１３およびＧ５レンズ１１４）の平行度の向上を図ることができる。そして、これによって複数のレンズ（Ｇ３レンズ１１２、Ｇ４レンズ１１３およびＧ５レンズ１１４）を備えた第２レンズ群１０７における光学性能の向上を図ることができる。
【００６４】
また、光学性能の向上を図った第２レンズ群１０７を用いてレンズ装置１００を構成することによって、レンズ装置１００における光軸のずれを防止し、レンズ装置１００における光学性能の向上を図ることができる。さらに、光学性能の向上が図られたレンズ装置１００を用いて撮像装置を構成することによって、撮像装置が撮像する画像の品質向上を図ることができる。
【００６５】
また、この実施の形態によれば、突起３０５Ａ、３０５Ｂ、３０５Ｃ、４０３Ａ、４０３Ｂ、４０３Ｃが、Ｇ３レンズ１１２、Ｇ４レンズ１１３およびＧ５レンズ１１４の有効径よりも外側において当接するため、Ｇ３レンズ１１２、Ｇ４レンズ１１３およびＧ５レンズ１１４の受け面の径よりも広い範囲において突起４０３Ａ、４０３Ｂ、４０３Ｃと突起３０５Ａ、３０５Ｂ、３０５Ｃとを組み合わせて平行度を調整することができる。
【００６６】
これによって、枠の突起の平行度（ばらつき量）が同じとした場合、Ｇ３レンズ１１２、Ｇ４レンズ１１３およびＧ５レンズ１１４の受け面の径と同じ範囲で平行度を調整する場合よりも、相対的な倒れ量を減らせるので平行度のずれによる影響（たとえば、光軸ずれによる光学性能の低下）を抑制することができる。
【００６７】
また、この実施の形態によれば、光軸Ｃに対して均等な位置において突起４０３Ａ、４０３Ｂ、４０３Ｃと突起３０５Ａ、３０５Ｂ、３０５Ｃとを組み合わせて平行度を調整することができる。これによって、平行度の調整後に第２レンズ群枠１１６とＧ０４／Ｇ０５枠２０１との位置関係がずれてしまうことを防止し、第２レンズ群枠１１６とＧ０４／Ｇ０５枠２０１とを安定して当接させることができる。
【００６８】
また、この実施の形態によれば、突起４０３Ａ、４０３Ｂ、４０３Ｃと突起３０５Ａ、３０５Ｂ、３０５Ｃとの当接箇所の数を３または３の倍数とすることにより、各当接箇所において突起４０３Ａ、４０３Ｂ、４０３Ｃと突起３０５Ａ、３０５Ｂ、３０５Ｃとを均等な力で当接させることができる。これによって、平行度の調整後に第２レンズ群枠１１６とＧ０４／Ｇ０５枠２０１との位置関係がずれてしまうことを防止し、第２レンズ群枠１１６とＧ０４／Ｇ０５枠２０１とを安定して当接させることができる。
【００６９】
以上説明したように、本実施の形態によれば、第２レンズ群枠１１６にＧ３レンズ１１２を取り付け、Ｇ０４／Ｇ０５枠２０１にＧ４レンズ１１３およびＧ５レンズ１１４を取り付けてから、Ｇ４レンズ１１３およびＧ５レンズ１１４とＧ３レンズ１１２との平行度を調整することができるので、第２レンズ群における複数のレンズ（Ｇ３レンズ１１２、Ｇ４レンズ１１３およびＧ５レンズ１１４）の平行度の向上を図ることができる。そして、これによって複数のレンズ（Ｇ３レンズ１１２、Ｇ４レンズ１１３およびＧ５レンズ１１４）を備えた第２レンズ群１０７における光学性能の向上を図ることができる。
【産業上の利用可能性】
【００７０】
以上のように、本発明にかかるレンズユニット、レンズ装置および撮像装置は、同一の光軸上に設けられる複数のレンズを備えたレンズユニットに有用であり、特に、当該レンズユニット単位で鏡筒などに取り付けられるレンズユニット、当該レンズユニットを備えたレンズ装置およびこのレンズ装置を備えた撮像装置に適している。
【図面の簡単な説明】
【００７１】
【図１】この発明にかかる実施の形態のレンズ装置の概略構成を示す断面図である。
【図２】第２レンズ群を示す断面図である。
【図３】第２レンズ群を示す分解斜視図（その１）である。
【図４】第２レンズ群を示す分解斜視図（その２）である。
【図５】第２レンズ群を示す斜視図である。
【図６−１】第２レンズ群の組み立て方法を示す説明図（その１）である。
【図６−２】第２レンズ群の組み立て方法を示す説明図（その２）である。
【符号の説明】
【００７２】
１００  レンズ装置
１０７  第２レンズ群
１１２  Ｇ３レンズ
１１３  Ｇ４レンズ
１１４  Ｇ５レンズ
１１６  第２レンズ群枠
２０１  Ｇ０４／Ｇ０５枠
３０５Ａ、３０５Ｂ、３０５Ｃ、４０３Ａ、４０３Ｂ、４０３Ｃ  突起
【図１】
2009175209.tif 000003
【図２】
2009175209.tif 000004
【図３】
2009175209.tif 000005
【図４】
2009175209.tif 000006
【図５】
2009175209.tif 000007
【図６−１】
2009175209.tif 000008
【図６−２】
2009175209.tif 000009